(57)【要約】      （修正有）【課題】目視によるカウントが不要であって、低額かつ簡易であって、正確な流量調整のためのドリップチャンバ、このドリップチャンバに装着する被覆材及びこのドリップチャンバを備えた点滴ユニットを提供する。【解決手段】輸液容器と点滴針とを輸液チューブ２を介して接続し、点滴の流量を調整するために、この輸液チューブ２に介装させて、点滴の落下速度を目視で観察するドリップチャンバ３であって、一定の時間間隔で順次落下する点滴が、所定の滴下速度で前記時間間隔に同期して見かけ上、静止状態に見える位置に観察エリア３１を設けた。【選択図】図３
0003154636.tif 000002
【実用新案登録請求の範囲】
【請求項１】
輸液容器と点滴針とを輸液チューブを介して接続し、点滴の流量を調整するために、この輸液チューブに介装させて、点滴の落下速度を目視で観察するドリップチャンバであって、
一定の時間間隔で順次落下する点滴が、所定の滴下速度で前記時間間隔に同期して見かけ上、静止状態に見える位置に観察エリアを設けたことを特徴とするドリップチャンバ。
【請求項２】
前記観察エリアを複数の滴下速度に対応させて複数設けたことを特徴とする請求項１記載のドリップチャンバ。
【請求項３】
前記各観察エリアに該当する滴下速度を表示させたことを特徴とする請求項２記載のドリップチャンバ。
【請求項４】
ドリップチャンバに所定のスリットを備えた被覆材を装着させて前記観察エリアを形成させたことを特徴とする請求項１から請求項３までのいずれかに記載のドリップチャンバ。
【請求項５】
前記被覆材は、ドリップチャンバの外周面を次第に幅が変化するように間隔を空けて螺旋状に巻きつけて装着することにより、前記スリットを形成させるものであることを特徴とする請求項４記載のドリップチャンバ。
【請求項６】
前記螺旋状の被覆材は、前記装着状態のままドリップチャンバ外周面で回転させることができることを特徴とする請求項５記載のドリップチャンバ。
【請求項７】
前記ドリップチャンバに装着させることが可能な請求項４から請求項６までのいずれかに記載の被覆材。
【請求項８】
前記点滴の流量は、前記ドリップチャンバと点滴針との間で前記輸液チューブに介装させたクランプによって調整する請求項１から請求項６までのいずれかに記載のドリップチャンバを備えたことを特徴とする点滴ユニット。
【考案の詳細な説明】
【技術分野】
【０００１】
本考案は、点滴をする際に、点滴の流量を調整するために、輸液チューブに介装させて、点滴の落下速度を目視で観察するドリップチャンバ、このドリップチャンバ用の被覆材及びこのドリップチャンバを備えた点滴ユニットに関する。
【背景技術】
【０００２】
現在、患者等に点滴を投与する点滴ユニットとしては、輸液容器と点滴針とを輸液チューブを介して接続し、点滴の流量を調整するために、点滴の滴下速度を目視で観察するドリップチャンバと、このドリップチャンバと前記点滴針との間で前記輸液チューブを収縮及び拡幅するクランプとを介装させたものが最も一般的である。
【０００３】
ところで、点滴の投与量は、輸液の種類、患者の病状等に応じて、例えば、医師による「１時間当たり○○ｍｌ（ｃｃ）」などの指示によって決定される。
ここで、前記輸液チューブを通じて投与される点滴の粒の大きさ、すなわち、単位滴下量は、「１５滴で１ｍｌ」あるいは「６０滴で１ｍｌ」というように、規格化されている。
【０００４】
従って、前記医師の指示を受けた看護師は、前記ドリップチャンバを見ながらクランプによって輸液チューブを狭窄又は拡幅して、指示通りの投与量になるように調整する。すなわち、まず、看護師は、前記医師により指示された所定時間当たりの総滴下量と前記規格化されている単位滴下量とから、例えば、１分当たりの滴下数を算出する。次いで、時計とドリップチャンバの双方を目視しながら、１分当たりの滴下数をカウントし、前記算出した滴下数と比較して、実際の滴下数が算出したものより多ければ、前記クランプで輸液チューブを狭窄させ、少なければ、拡福させて所望の滴下数に調整する。
【０００５】
特に、算出の煩雑さを解消させるために、主な総滴下量と１分当たりの滴下数については、対照用テーブルを予め作成し、これを参照して調整するようにしている。
【０００６】
しかし、上記構成では、低コストで適量の点滴量の調整が可能ではあるものの、看護師のカウントミスなど、人為的なミスが生じる可能性が高い。
【０００７】
そこで、従来から前記点滴ユニットにカウンタ等を取り付けて、機械的、電子的に点滴量の調整を行う工夫がなされてきた。
【０００８】
例えば、点滴の滴下数をカウントするとともに輸液の重量を検出し、カウントされた滴下数と検出された滴下量とから単位滴下数当たりの輸液重量を演算することにより、滴下数と１滴当たりの滴下数との関数として、正確な流量調節を行う輸液監視装置が提案されていた（例えば、特許文献１参照。）。
【０００９】
また、指示された輸液時間及び輸液量を入力し、滴下のタイミングを算出し、この算出されたタイミングを報知器（音）、投光器（光）、振動器（振動）のいずれかで報知し、この報知されるタイミングに合わせて流量を調節する点滴速度報知装置が提案されていた（例えば、特許文献１参照。）。
【先行技術文献】
【特許文献】
【００１０】
【特許文献１】特許第２５８３１４０号公報
【特許文献１】実用新案登録第３０４６０１９号公報
【考案の概要】
【考案が解決しようとする課題】
【００１１】
しかし、前記機械的、電子的に流量調整をする従来技術では、点滴ユニット以外に装置を購入するため、コスト負担が大きくなるという不都合があった。特に、近年、患者負担の引き上げによる患者数の激減、診療報酬の引き下げ、看護師等の人件費、設備サイクルの短縮化等で、病院経営を圧迫する状況下にあって、少量の点滴（５００ｍｌ未満）の場合、保険が通らないことも多く、少なくとも、看護師の手計算で計測可能な点滴についてまで、設備投資を行うことは難しくなっている。また、前記従来技術によれば、少なからず、操作取得の学習期間が必要とされ、慢性的な人手不足状態の看護師に、採算性の合わない設備に対する操作習得に時間を費やすのは不合理である。
【００１２】
一方、前記従前の目視カウントによる方法では、特に多忙な看護師の負荷を加速させることになるとともに、看護師のミスの頻発を招くやり方は、点滴の効果を充分に発揮させることができないという不都合があった。
【００１３】
そこで、本考案は、上記従来技術の不都合に鑑みて、目視によるカウントが不要であって、低額かつ簡易であって、正確な流量調整のためのドリップチャンバ、このドリップチャンバに装着する被覆材及びこのドリップチャンバを備えた点滴ユニットを提供することを課題とする。
【課題を解決するための手段】
【００１４】
上記課題を解決するために、本考案にかかるドリップチャンバは、輸液容器と点滴針とを輸液チューブを介して接続し、点滴の流量を調整するために、この輸液チューブに介装させて、点滴の落下速度を目視で観察するドリップチャンバであって、一定の時間間隔で順次落下する点滴が、所定の滴下速度で前記時間間隔に同期して見かけ上、静止状態に見える位置に観察エリアを設けたことを特徴とする。
【００１５】
この構成によれば、点滴の流量の調整は、時計と滴下数をカウントすることなく、ドリップチャンバの点滴の見かけ上の滴下状態を観察エリアで観察しながら、所定の状態に調整すればよい。
【００１６】
前記観察エリアは、複数の滴下速度に対応させて複数設けてもよく、前記各観察エリアに該当する滴下速度を表示させてもよい。
【００１７】
また、前記観察エリアは、ドリップチャンバに所定のスリットを備えた被覆材を装着させて形成させてもよい。この被覆材は、ドリップチャンバの外周面を次第に幅が変化するように間隔を空けて螺旋状に巻きつけて装着することにより、前記スリットを形成させるものであってもよく、この場合、装着状態のままドリップチャンバ外周面で回転させるようにしてもよい。この構成によれば、連続的な滴下速度の変化に対応して点滴の流量を調整することができる。
【００１８】
本考案にかかる被覆材は、前記ドリップチャンバに装着させて、前記観察エリアを形成させるものであればよい。
【００１９】
本考案にかかる点滴ユニットは、前記いずれかのドリップチャンバを備えたことを特徴とする。なお、点滴の流量は、前記ドリップチャンバと点滴針との間で前記輸液チューブに介装させたクランプによって調整すればよい。
【考案の効果】
【００２０】
本考案によれば、例えば、流量調整を行う看護師は、医師から指示された点滴の投与量について、指示された滴下速度に観察エリアで点滴が静止状態に見える状態になるまでクランプで流量を調節するだけでよく、看護師の負荷を大幅に軽減させることができるという効果を奏する。
【００２１】
また、例えば、看護師を前記カウント時間拘束することがなく、目視によるカウントミスも発生しないため、正確な投与量の調整が簡易かつ迅速にできるという効果を奏する。
【００２２】
さらに、機械的、電子的な設備一切不要であり、既存の点滴ユニットでも利用可能であるため、病院のコスト負担を軽減させるという効果も奏する。
【図面の簡単な説明】
【００２３】
【図１】点滴ユニットの全体構成を示す図
【図２】点滴の挙動と観察エリアの関係を示した図
【図３】（ａ）点滴が観察エリアの位置と同期した状態を示した図、（ｂ）点滴が観察エリアの位置と同期していない状態を示した図
【図４】観察エリアを複数設けたドリップチャンバを示した図
【図５】観察エリアを横に並べたドリップチャンバを示した図
【図６】被覆材を装着して観察エリアを形成したドリップチャンバを示した図
【図７】螺旋状の被覆材を装着して観察エリアを形成したドリップチャンバを示した図
【考案を実施するための形態】
【００２４】
図１は、本考案にかかる点滴ユニットの全体構成を示した図である。１は、所定重量の薬液Ｂが入った輸液パックである。輸液パック１は、血圧が点滴の滴下圧力よりも陽圧になって逆流しないようにするために、高い位置に吊るして圧力をかける必要がある。そこで、輸液パック１は、テーパー状に形成されたキャップ１２側を下方に向けて、キャップ１２の対向端部に設けられた吊下孔１１を吊下台（図示せず）に懸架し、キャップ１２に、輸液チューブ２の一端に接続された導入針２１を穿刺し、輸液が上方から下方に相応の圧力で滴下するように設置される。
【００２５】
点滴は、導入針２１から、輸液チューブ２を介して輸液チューブ２の他端に接続された点滴針５を患者の静脈などに穿刺して行われる。なお、点滴針５は、患者の腕などで固定するために、翼状の固定具６が取り付けられている。
【００２６】
ところで、点滴の投与量は、患者の症状、年齢、薬の種類等により、医師が個々に処方して決定される。医師の処方は、通常、総投与量と投与時間によって特定される。点滴１滴当たりの滴下量は、前記輸液チューブ２の径などにより、規格化されているため、看護師は、前記医師の処方に従って投与量の設定作業を行うときに、前記医師の指示と点滴１滴当たりの滴下量から、単位時間（例えば、１分当たり）の滴下数を算出し、調整を行う。この滴下数の調整は、輸液チューブ２に介装されたころ状のローラクランプ４によって輸液チューブ２を狭窄又は拡幅させながら行う。このとき、所望の滴下数になっているかどうかの確認を行うために、輸液パック１とローラクランプ４との間で輸液チューブ２に介装させたドリップチャンバ３を目視する。このドリップチャンバ３は、通常、滴下された点滴ｄが外部から観察できるように、輸液チューブ２より大径の円筒形状の透明体によって形成されている。
【００２７】
従来は、看護師が、所定時間（例えば１分間）時計を見ながら、同時にドリップチャンバ３の滴下数をカウントし、前記算出された滴下数に合致するかどうかを確認し、不一致の場合には、ローラクランプ４を調整しながら、一致するまで上記作業を繰り返していた。本考案では、この看護婦の時間的な拘束と、負荷を解放するとともに、高価な電子的、機械的カウンタを利用しなくても、正確かつ迅速に上記調整が可能になるドリップチャンバを提供するものである。本考案では、ドリップチャンバ３内の点滴の滴下挙動に着目した。以下、図２により、ドリップチャンバ３内での点滴の挙動を説明する。
【００２８】
図２は、点滴の挙動を模式的な表を使って説明したものである。表の縦軸は、点滴を滴下したときの時間の経過を示す時間軸ｔであり、横軸は、比較する点滴の滴下速度（滴下量）を示す。すなわち、左欄から、１分間に５０滴（５０滴／分）を滴下した場合の挙動、１分間に２５滴（２５滴／分）を滴下した場合の挙動、両者を比較したチャンバ内の点滴の挙動を示す３つの欄からなる。
【００２９】
チャンバ内は、大気中の空気抵抗とは異なるが、点滴は、基本的に自由落下運動である。図２では５０滴／分の欄と２５滴／分の欄の双方に、点滴１滴分の自由落下の軌跡を点線で示した。ここで、各点滴は、各々の落下速度に応じて同一の時間間隔で順次落下するが、たとえば、５０滴／分の場合、第１の点滴ｄ１１が、時間軸ｔの最下端に到達したときに、第２の点滴ｄ１２は、直上に位置し、第３の点滴ｄ１３はさらにその直上に位置するとする。これに対し、２５滴／分の場合、第１の点滴ｄ２１が、時間軸ｔの最下端に到達したときに、第２の点滴ｄ２２は、５０滴／分の第３の点滴ｄ１３の位置よりも直上付近に位置する。このように、滴下速度によって、点滴間の間隔が異なるため、各滴下速度に応じて、点滴が一定間隔ごとに見かけ上静止した状態に見える位置が特定できる。チャンバ内の点滴の挙動の欄では、観察エリア１で５０滴／分の第３の点滴ｄ１３が、一定間隔ごとに見かけ上静止状態に見える。また、観察エリア２では、２５滴／分の第１の点滴ｄ２１が、一定間隔ごとに見かけ上静止状態に見える。因みに、この観察エリア２で５０滴／分の点滴を観察すると、第１の点滴ｄ１１と第２の点滴ｄ１２が順次落下するところが見えるため、動的な挙動として観察される。
【００３０】
本考案では、この観察エリアをドリップチャンバ３の側面に設けることによって、前記看護師がカウントしなくても、点滴の挙動だけを観察しながら、ローラクランプ４を調整して所望の投与量に調整することができるようにしたものである。図３では、具体的にドリップチャンバ３に観察エリアを設けた状態で点滴の挙動を示した。
【００３１】
図３（ａ）では、点滴ｄ１が観察エリアの位置と同期した状態を示した図、（ｂ）では、点滴ｄ’１が観察エリアの位置と同期していない状態を示した図を示している。すなわち、（ａ）では、点滴ｄ１は、観察エリア３１の範囲内に位置するが、次に滴下される点滴ｄ２は、観察エリア３１の範囲外に位置している。従って、点滴は、滴下速度に同期して、順次一定間隔で静止状態に見える。一方、（ｂ）では、観察エリア３１の範囲内に、点滴ｄ’１とともに点滴ｄ’２の一部が見えており、観察エリア３１の範囲と点滴の落下速度が同期しておらず、動的な挙動として観察できる。
【００３２】
以下、図４乃至図７を参照して、観察エリアの設け方に応じて、具体的な実施例を説明する。なお、各実施例で共通の構成要素については、同一の番号を付し、重複した説明は省略する。また、滴下速度（滴下量）としては、説明の便宜上、５０滴／分と２５滴／分のみを示したが、実際には、点滴の種類や量に応じて、異なる滴下速度（滴下量）を示すことも可能であり、より多くの滴下速度（滴下量）を示してもよい。また、滴下速度（滴下量）の表示の仕方を５０滴／分と２５滴／分としているが、滴下速度（滴下量）がわかればこの表示の仕方に限定する趣旨ではない。
【実施例１】
【００３３】
図４は、実施例１を示したものである。本実施例では、ドリップチャンバ３に、観察エリアを縦に複数設けたものを示した。すなわち、上部の短いレンジの観察エリア３１は、５０滴／分で調整するときに観察するエリアであり、下部の長いレンジの観察エリア３２は、２５滴／分で調整するときに観察するエリアである。なお、各観察エリアの横には、対応する滴下速度として、５０滴／分の目盛り３３と２５滴／分の目盛り３４が表示されている。
【実施例２】
【００３４】
図５は、実施例２を示したものである。実施例１では、複数の観察エリアを縦に並べたが、本実施例では、観察エリア３１と観察エリア３２を横に並べた。実際には、ドリップチャンバ３の側面は、曲面で形成されているので、点滴のドリップチャンバ３への導入口が観察エリアを介して正面視することができるように、ドリップチャンバ３が、長手方向の軸と直交する方向に回転可能な構成となっていればよい。
【実施例３】
【００３５】
図６は、実施例３を示したものである。本実施例では、実施例１の観察エリア３１及び３２をドリップチャンバ３に装着させる被覆材Ｗ１によって形成させたものである。実施例１及び実施例２では、ドリップチャンバ３に、直接観察レンジや目盛りを表示させたものを示したが、本実施例では、観察レンジや目盛りの表示がないドリップチャンバ３に後発的に観察レンジを設けるために、矢印ａ１方向に観察エリアを形成するスリットを備えた被覆材１を取り付ける形態を示した。本実施例のような構成によれば、既存の点滴ユニットにこの被覆材Ｗ１を取り付けるだけで、観察レンジが形成されるので、新たに専用の点滴ユニットを購入する必要がなくなる。
【００３６】
被覆材Ｗ１は、装着後にずれないように、ゴムなど密着度の高い素材でつくればよい。また、着脱を繰り返して、複数のドリップチャンバ３に使用するためには、ドリップチャンバ３に装着の位置決めをする目印（図示せず）を付するようにすればよい。なお、実施例３では、図４で説明した実施例１の縦に観察エリアを並べた形態を構成するスリットを備えた被覆材を示したが、図５で説明した実施例２の横に観察エリアを並べた形態のスリットを備えた被覆材であってもよい（図示せず）。本実施例では、取付方向は、矢印ａ方向を示したが、これに限定する趣旨ではなく、ドリップチャンバ３の下方から上方に向かって装着するもの、巻き付けて装着するものなどであってもよい。
【実施例４】
【００３７】
図７は、実施例４を示したものである。本実施例では、螺旋状の被覆材Ｗ２を装着して観察エリアを形成したドリップチャンバ３を示したものである。実施例１乃至実施例３までは、観察エリアを縦又は横に並べて設けているが、目盛りで表示する滴下速度が多数ある場合は、この並べ方では収まらない場合もある。そこで、本実施例では、ドリップチャンバ３の外周面を次第に幅が変化するように間隔を空けて螺旋状に巻きつけて装着する被覆材Ｗ２を示した。
【００３８】
被覆材Ｗ２は、ドリップチャンバ３に装着後、矢印ａ２方向に回転可能であり、前記次第に幅が変化する間隔が、ドリップチャンバ３に取り付けて回転させることにより、観察エリアのレンジが連続的に変化するようになっている。この次第に変化する幅が、ドリップチャンバ３に巻きつけることにより、実施例３と同様のスリットを形成する。従って、実施例１乃至実施例３に比べて、より多くの観察エリアを形成することができる。本実施例では、目盛り３３及び３４をドリップチャンバ３の長手軸方向の直線上に１列に並べて表示しているが、より多くの目盛りを表示させるためには、目盛りを横方向に並べて表示させればよい（図示せず）。
【符号の説明】
【００３９】
１  輸液パック  
２  輸液チューブ  
３  ドリップチャンバ  
４  ローラクランプ  
５  点滴針
６  固定具
３１、３２  観察エリア
３３、３４  目盛り
Ｗ１、Ｗ２  被覆材  
【図１】
0003154636.tif 000003
【図２】
0003154636.tif 000004
【図３】
0003154636.tif 000005
【図４】
0003154636.tif 000006
【図５】
0003154636.tif 000007
【図６】
0003154636.tif 000008
【図７】
0003154636.tif 000009